(57)【特許請求の範囲】
【請求項１】
被介護者を洗浄するためのトイレ機構付洗浄装置であって、
被介護者を着座させるための移動可能なチェアーと、
前記チェアーに着座した被介護者を前記チェアーごと収容して被介護者の腰下部分を覆う装置本体とを備え、
前記装置本体には、
排便用の孔がその座席面に形成されるとともに、該孔と連通する汚水管がその内部に配設された座席部と、
それぞれ被介護者の腰部，脚部に向けて洗浄水を噴出するための第１，第２の噴出部と、
周波数制御により吐出圧が切換え可能に設けられるとともに、温水が溜められたタンクから前記第１および第２の噴出部に温水を供給するためのポンプと、
前記ポンプから供給された温水を前記第１の噴出部に導入するための開閉可能な第１の開閉弁と、
前記ポンプから供給された温水を前記第２の噴出部に導入するための開閉可能な第２の開閉弁と、
洗浄中に生じた排水を装置本体外部に排出するための排水管とが設けられており、
前記汚水管の下端は前記排水管に接続されており、前記汚水管には、上方に開口しかつオーバーフロー用の孔を有する小型便器が抜き差し可能に設けられている、
ことを特徴とするトイレ機構付洗浄装置。
【請求項２】
前記汚水管には、該汚水管内部に洗浄水を導入するための開閉バルブ付洗浄管が接続されている、
ことを特徴とする請求項１記載のトイレ機構付洗浄装置。
【発明の詳細な説明】
【０００１】
【発明の属する技術分野】
本発明は、被介護者を洗浄するための介護用トイレ機構付洗浄装置に関する。
【０００２】
【従来の技術およびその課題】
寝たきりの老齢者や身障者、病人等の介護の必要な人達（以下、「被介護者」という）が洗浄および入浴を行うためのトイレ機構付洗浄装置が本件出願人により提案されている（特願平７−２１２８４１号参照）。
【０００３】
この装置によれば、被介護者を着座させた状態で洗浄等を行うことができ、さらには、洗浄中に被介護者が排便を行うことも可能であるため、介護者の負担を軽減できる。
【０００４】
その一方、運動不足になりがちな被介護者にとっては、この洗浄および入浴が血行をより良好にして健康を増進させるマッサージ効果をも備えたものである方が好ましい。このようなマッサージ効果によって、被介護者の腸の運動がより活発となり、トイレでの排尿や排便が通常ままならない被介護者にとって排泄行為が容易になると考えられる。
【０００５】
本発明は、このような従来の実情に鑑みてなされたものであり、洗浄中にマッサージ効果を発揮でき、被介護者が排泄行為を容易に行うことができるトイレ機構付洗浄装置を提供することを目的とする。
【０００６】
【課題を解決するための手段】
請求項１の発明に係るトイレ機構付洗浄装置は、被介護者を着座させるための移動可能なチェアーと、前記チェアーに着座した被介護者を前記チェアーごと収容して被介護者の腰下部分を覆う装置本体とを備え、前記装置本体には、排便用の孔がその座席面に形成され、該孔と連通する汚水管がその内部に配設された座席部と、それぞれ被介護者の腰部，脚部に向けて洗浄水を噴出するための第１，第２の噴出部と、周波数制御により吐出圧が切換え可能に設けられるとともに、温水が溜められたタンクから前記第１および第２の噴出部に温水を供給するためのポンプと、前記ポンプから供給された温水を前記第１の噴出部に導入するための開閉可能な第１の開閉弁と、前記ポンプから供給された温水を前記第２の噴出部に導入するための開閉可能な第２の開閉弁と、洗浄中に生じた排水を装置本体外部に排出するための排水管とが設けられており、前記汚水管の下端は前記排水管に接続され、前記汚水管には、上方に開口しかつオーバーフロー用の孔を有する小型便器が抜き差し可能に設けられていることを特徴としている。
【０００７】
請求項２の発明に係るトイレ機構付洗浄装置は、請求項１において、前記汚水管に、該汚水管内部に洗浄水を導入するための開閉バルブ付洗浄管が接続されていることを特徴としている。
【０００８】
請求項１の発明において、被介護者を洗浄する際には、まず、被介護者をチェアーに着座させた状態で、チェアーごと被介護者を装置本体内に入れる。
【０００９】
次に、ポンプを駆動して、タンクに溜められた温水を第１，第２の噴出部に導入する。
この場合において、被介護者の腰部を洗浄する際には、第１の開閉弁を開くとともに、第２の開閉弁を閉じる。これにより、タンク内の温水が第１の開閉弁を介して第１の噴出部に導入され、被介護者の腰部に供給される。
【００１０】
被介護者の脚部を洗浄する際には、第２の開閉弁を開くとともに、第１の開閉弁を閉じる。これにより、タンク内の温水が第２の開閉弁を介して第２の噴出部に導入され、被介護者の脚部に供給される。なお、洗浄中に生じた排水は、排水管から装置本体外部に排出される。
【００１１】
このように第１，第２の開閉弁を設け、該各開閉弁を切り換えることにより洗浄を行うので、ポンプとしては比較的小型のもので済み、これにより、装置全体を小型化できる。
【００１２】
また、ポンプの駆動時には周波数制御によりその吐出圧を切り換えることによって、第１，第２の噴出部からの噴射圧を変えることができる。これにより、洗浄中に被介護者の血行を良好にするマッサージ効果を発揮できる。とくに、被介護者の腹部へのマッサージ効果により、被介護者が排泄行為を容易に行えるようになる。
【００１３】
なお、洗浄中に排泄された尿や便は、座席面に形成された孔から座席部内部の汚水管に排出される。
【００１４】
また、洗浄中に排泄された便は小型便器により回収される。また、小型便器内には排水も導入されることになるが、この導入された排水は、小型便器のオーバフロー用の孔から汚水管に排出され、該汚水管を通って排水管に排出される。
【００１５】
請求項２の発明によれば、開閉バルブを開いて洗浄管から洗浄水を導入することにより、汚水管内部を強制的に洗浄することができるので、装置本体を常時衛生的に保つことができ、汚臭の発生を防止できる。
【００１６】
【発明の実施の形態】
以下、本発明の実施態様を添付図面に基づいて説明する。
図１ないし図９は本発明の一実施態様によるトイレ機構付洗浄装置を説明するための図であって、図１は本装置の使用開始前の状態を示す全体斜視図、図２は本装置における装置本体の使用中の状態を示す全体斜視図、図３は装置本体の縦断面部分図、図４は洗浄装置における洗浄水および消毒水の供給ラインを示す概略系統図、図５は装置本体の操作パネルの拡大図、図６は洗浄装置の使用中の状態を示す図、図７はその内部の状態を示す図、図８は洗浄装置における洗浄運転（３分間）のサイクルの一例を示す図、図９は消毒運転のサイクルの一例を示す図である。
【００１７】
図１および図２に示すように、この洗浄装置１は、被介護者を着座させるためのチェアー２と、チェアー２に着座した被介護者をチェアー２ごと収容して被介護者の腰下部分を覆う装置本体３とから主として構成されている。
【００１８】
チェアー２はメッシュ状のシート２１とフットレスト２２とを有し、キャスタ２３により移動可能になっている。シート２１の中央部分には開孔２１ａが形成されており、フットレスト２２の下面にはブラシ２５が植設されている。また、シート２１の下方においてフットレスト２２の後方部分には、洗浄後に被介護者の体から落ちる滴を受けるための受け皿２４が設けられている。
【００１９】
装置本体３は、上方，下方および前方に開口する箱状の部材であって、チェアー２のシート２１に沿う形状の座席部３１を有している。座席部３１には、主に被介護者の脚部に向けて洗浄水を噴出させるための複数のノズル（第２の噴出部）３２が設けられている。座席部３１の両側方の側壁部には、主に被介護者の腰部に向けて洗浄水を噴出させるための複数のノズル（第１の噴出部）３３が設けられている。
【００２０】
また装置本体３の後方には、温水を溜めるタンク１０が設けられており、該タンク内の温水は、後述する供給ラインを経由して各ノズル３２，３３に供給されるようになっている。
【００２１】
装置本体３の前部開口部分には、開閉可能な前扉３６が設けられている。一方、装置本体３の側面にはレバー３７が設けられており、このレバー３７の操作により、前扉３６の閉状態のロックおよびロック状態の解除が行われるようになっている。前扉３６の上部には、被介護者が把持するための手摺３８が配設されている。前扉３６の内部には、装置本体３の上部開口を閉塞し得るシャッター４０が取り出し可能に収納されている。シャッター４０の先端には、被介護者の上体部分が入ることのできる切欠き４０ａが形成されている。
【００２２】
装置本体３上部の左右両側部には、シャッター４０の開閉時にシャッター４０をスライド自在にガイドするための一対のガイドレール４１が前後方向に配設されている。各ガイドレール４１の後端は連結板部４２により連結されている。連結板部４２の中央部分には、被介護者の上体部分を後方から支持するサポート部４４が取り付けられている。連結板部４２の左右両端部には、シャッター４０の先端部を係脱自在に係止するためのマグネットまたは面ファスナ等からなる係止部４５が取り付けられている。
【００２３】
装置本体３の底壁部には、洗浄中に生じた排水を受けるための排水口４６が設けられている。排水口４６は、図３に示すように、装置本体３内に配設された排水管４７に接続されており、該排水管は、装置本体外部の排水ホース４８に接続されている。この排水ホース４８の先端はたとえば浴室等に配置される。
【００２４】
座席部３１の座席面の略中央部には、排便用の孔５０が形成されている（図３参照）。この孔５０には、装置本体３内に配設された、Ｕ字状部を有する汚水管５１が接続されている。汚水管５１は、装置本体３外部に設けられた図示しない汚水ホースに接続されており、該汚水ホースの先端はトイレの便器内等に配置される。
【００２５】
汚水管５１の上部には、該汚水管内を洗浄するための洗浄水が導入される洗浄管５４が接続されており、洗浄管５４には開閉バルブ５５が設けられている。なお、これらの洗浄管５４および開閉バルブ５５は省略することも可能である。
【００２６】
前扉３６の裏面および座席部３１の前面部には、横方向に延びるゴム製のパッキン（シール部）６０，６１がそれぞれ装着されている（図１および図３参照）。これらのパッキン６０，６１は、チェアー２を装置本体３内に収容して前扉３６を閉めたときに、チェアー２のフットレスト２２の前，後端面に圧接するようになっており、これにより、洗浄中の排水が装置本体３の下部開口から下方に漏出するのが防止されている。
【００２７】
次に、本洗浄装置１の配管系統について図４を用いて説明する。
同図に示すように、高温水供給ラインＬ１から供給された高温水と、水供給ラインＬ２から供給された水とがサーモミキシング弁Ｖ１により混合されて適温の温水となり、この温水が混合ラインＬ３および給湯弁Ｖ２を通ってタンク１０内に導入されるようになっている。なお、図中、Ｓ１，Ｓ２はストレーナである。
【００２８】
タンク１０内には、該タンク内に導入された温水の温度を測定する温度センサ１１が設けられている。この温度センサ１１および上記供給ラインＬ１，Ｌ２等から湯温調整部４が構成されている。タンク１０内にはさらに、該タンク内の温水の量を検出するフロートセンサ１２が設けられている。
【００２９】
タンク１０内の温水は、ポンプＰ′により吸引されて温水供給ラインＬ４に供給されるようになっている。このポンプＰ′はいわゆるインバータポンプであって、周波数制御によりその吐出圧が切換え可能になっている。なお、ポンプＰ′の吐出圧力は、たとえば約２〜３kg/cm2に設定される。
【００３０】
温水供給ラインＬ４は供給ラインＬ５およびＬ６に分岐しており、供給ラインＬ５は、装置本体３内に配設されたノズル３３に接続され、供給ラインＬ６はノズル３２に接続されている。供給ラインＬ５，Ｌ６には（第１の）開閉弁Ｖ３，（第２の）開閉弁Ｖ４がそれぞれ設けられている。
【００３１】
また温水供給ラインＬ４には、先端がタンク１０内に配置されたラインＬ４′が接続されている。このラインＬ４′は、装置使用完了後に温水供給ラインＬ４内に残留する温水をタンク１０内に戻すためのものである。
【００３２】
洗剤，消毒剤供給部５は、洗剤（ボディソープ）または消毒剤を温水とともにノズル３２，３３に導入するためのものであって、洗剤収納部１３と、この中の洗剤を温水供給ラインＬ４に供給するための、開閉弁Ｖ５を有する洗剤供給ラインＬ７と、消毒剤収納部１４と、この中の消毒剤を温水供給ラインＬ４に供給するための、開閉弁Ｖ６を有する消毒剤供給ラインＬ８とから構成されている。
【００３３】
また混合ラインＬ３には、ラインＬ９およびＬ１０を介してハンドシャワー１５が接続され、ラインＬ９およびＬ１１を介してノズル３４がそれぞれ接続されている。ノズル３４は、座席部３１の孔５０に向けて温水を噴出することにより、座席面の孔５０近傍を洗浄するためのものである（図３参照）。ハンドシャワー１５およびノズル３２，３３および３４により、洗浄，マッサージ部６が構成されている。
【００３４】
なお、図中二点鎖線で示すラインＬ１２を水供給ラインＬ２に接続するようにしてもよい。このラインＬ１２の他端は、フラッシュ弁Ｖ７を介して排水管４７内に配置される。このフラッシュ弁Ｖ７および装置本体３内の開閉バルブ５５により、汚物洗浄部７が構成されている。
【００３５】
また、装置本体３内には、前扉３６の開閉状態を検出するドアセンサ１６と、被介護者が収容されているか否かを検出する被介護者センサ１７と、チェアー２が収容されているか否かを検出するチェアーセンサ１８とが設けられている。
【００３６】
装置本体３には、操作パネル８が設けられている（図１，図２参照）。操作パネル８は、図５に示すように、電源ボタン８１と、停止ボタン８２と、確認運転を行うための確認ボタン８３と、消毒運転を行うための消毒ボタン８４と、ボディソープを投入するためのソープボタン８５と、運転時間を選択するための運転時間選択ボタン８６，８７，８８と、乾燥運転を行うための乾燥ボタン８９とを有している。
【００３７】
また、上記ドアセンサ１６、被介護者センサ１７、チェアーセンサ１８の各検出結果ならびに運転残り時間を表示する液晶表示盤９１が設けられている。
【００３８】
次に、上記構成になる洗浄装置１の操作方法について説明する。
被介護者を洗浄する際には、予めタンク１０内に適温の温水を導入しておく。温水の温度はたとえば３７〜４２°ｃに設定される。
【００３９】
次に、装置本体３の確認運転を行う。この確認運転は、装置本体３が正常に機能するかどうかを確認するためのものである。この場合には、介護者が装置本体３の前扉３６を閉め、シャッター４０を閉じた状態で、操作パネル８の電源ボタン８１をＯＮにし、確認ボタン８３を押す。すると、予め設定されたプログラムにしたがって確認運転がスタートし、所定時間経過後、運転が終了する。
【００４０】
介護者は確認運転の終了を確認した後、被介護者Ｐをチェアー２に着座させるとともに、装置本体３の前扉３６を開け、チェアー２に着座させた被介護者Ｐをチェアー２ごと装置本体３内に入れる（図６，図７参照）。
【００４１】
介護者は、被介護者Ｐを装置本体３内に収容した後、前扉３６を閉め、レバー３７によりロックするとともに、シャッター４０を閉める。
【００４２】
このとき、チェアー２のフットレスト２２の前，後端面は、前扉３６側のパッキン６０，座席部３１側のパッキン６１にそれぞれ圧接しており、これにより、洗浄中に装置本体３の下部開口から排水が漏れるのが防止されている。また、フットレスト２２下部のブラシ２５は、装置本体３の底壁部上に配置されており、これにより、フットレスト２２の両側方から装置本体３の下方に排水が飛散するのが防止されている。
【００４３】
次に、介護者がソープボタン８５を押し、運転時間選択ボタン８６，８７，８８のいずれかを押す。すると、選択された各運転時間に応じて予め設定されたプログラムにしたがい、自動運転がスタートする。
【００４４】
運転時間選択ボタン８６を押して運転時間３分を選択した場合には、たとえば図８に示すような自動運転が行われる。同図において、Ｐ′はポンプを示し、Ｖ３，Ｖ４，Ｖ５は図４中の各開閉弁を示している。
【００４５】
図８に示すように、運転がスタートして最初の約３０秒間は予洗いが行われる。
すなわち、開閉弁Ｖ５が閉じられボディソープが投入されない状態で、ポンプＰ′の周波数が５４ヘルツに設定されるとともに、開閉弁Ｖ３，Ｖ４が交互に開閉する。
【００４６】
開閉弁Ｖ３が開いているときには、ポンプＰ′から吸引されたタンク１０内の温水は、温水供給ラインＬ４および供給ラインＬ５を通って、ノズル３３から噴出する。ノズル３３から噴出した温水は、被介護者Ｐの主に脚部に噴射される。
【００４７】
また、開閉弁Ｖ４が開いているときには、ポンプＰ′から吸引されたタンク１０内の温水は、温水供給ラインＬ４および供給ラインＬ６を通って、ノズル３２から噴出する。ノズル３２から噴出した温水は、被介護者Ｐの主に腰部に噴射される。
【００４８】
予洗いの終了後、次の約７０秒間は洗剤洗浄が行われる。
この場合には、開閉弁Ｖ５が開くことにより、洗剤収納部１３内のボディソープが洗剤供給ラインＬ７を通って温水供給ラインＬ４に供給され、該温水供給ライン内で温水と混合される。一方、開閉弁Ｖ３が開くとともに開閉弁Ｖ４が閉じており、したがって、この洗剤洗浄時には、被介護者Ｐの主に腰部が洗浄されることになる。
【００４９】
また、この洗剤洗浄時には、ポンプＰ′の周波数が５４ヘルツと３５ヘルツの間で交互に変化する。これにより、ポンプＰ′の吐出圧が変動して、ノズル３３からの噴射圧が変動する。この結果、洗浄中には、被介護者Ｐの腰部の血行を良好にするマッサージ効果が発揮されることになり、とくに腹部へのマッサージ効果により、被介護者Ｐが排泄行為を容易に行えるようになる。
【００５０】
なお、洗浄中に生じた排水は、装置本体３下部の排水口４６から排水管４７，排水ホース４８を通って、たとえば浴室の排水口に排出される。
【００５１】
次に、すすぎ洗いに移行する。
この場合には、開閉弁Ｖ４が開きかつ開閉弁Ｖ３が閉じた状態で、ポンプＰ′の周波数が５０ヘルツと３１ヘルツの間で交互に変化し、次に開閉弁Ｖ３が開きかつ開閉弁Ｖ４が閉じた状態で、ポンプＰ′の周波数が５４ヘルツと３５ヘルツの間で交互に変化する。
【００５２】
したがって、このすすぎ洗いにおいても、ポンプＰ′の吐出圧の変動によりノズル３２，３３からの噴射圧が変動し、これにより、被介護者Ｐの腰部および脚部の血行を良好にするマッサージ効果が発揮される。
【００５３】
なお、この例では、すすぎ洗いに移行する直前に、開閉弁Ｖ５が開いてボディソープが投入されているために、このすすぎ洗いの前半部分では、被介護者Ｐの脚部および局部の洗剤洗浄およびすすぎ洗いが行われることになる。
【００５４】
一方、被介護者Ｐが洗浄中に尿意や便意を催し、排泄を行った場合には、排泄された尿や便は座席部３１の孔５０から汚水管５１に排出され、汚水ホースを通ってたとえばトイレの便器内に排出される。排便後は、開閉バルブ５５を開いて洗浄管５４から汚水管５１内に洗浄水を導入することにより、汚水管５１内部が強制的に洗浄される。これにより、装置本体３を常時衛生的に保つことができ、汚臭の発生を防止できる。
【００５５】
また、上述のように、開閉弁Ｖ３およびＶ４を交互に切り換えることにより洗浄を行うので、ポンプＰ′としては比較的小型の容量のもので済み、これにより、装置全体を小型化できる。
【００５６】
すすぎ洗い終了後は、介護者が前扉３６を開け、被介護者Ｐを着座させたまま、チェアー２を前方に引き出す。このとき被介護者Ｐの体から落ちる滴は、受け皿２４で受けることができ、滴が室内に落ちるのを防止できる。
【００５７】
次に、洗浄装置１内の消毒を行う消毒運転の操作について説明する。
この場合には、装置本体３内にチェアー２を収容した状態で、介護者が消毒ボタン８４を押す。すると、予め設定されたプログラムにしたがって自動運転がスタートする。
【００５８】
図９は、このような自動運転の一例を示しており、同図において、Ｐ′はポンプを示し、Ｖ３，Ｖ４，Ｖ６は図４中の各開閉弁を示している。
【００５９】
同図に示すように、運転がスタートして最初の約１０秒間は予洗いが行われる。すなわち、開閉弁Ｖ６が閉じられ消毒剤が投入されない状態で、ポンプＰ′が駆動されるとともに、開閉弁Ｖ３およびＶ４が開く。これにより、各ノズル３２，３３から装置本体３内に温水が噴射される。
【００６０】
次に、消毒運転に移行する。この場合には、開閉弁Ｖ６が開くことにより、消毒剤収納部１４内の消毒剤がラインＬ８を通って温水供給ラインＬ４に供給される。これにより、消毒剤が混合された温水が、各ノズル３２，３３から装置本体３内に噴射される。消毒運転終了後、ポンプＰ′を停止し、開閉弁Ｖ３，Ｖ４を閉じた状態で所定時間放置される。
【００６１】
次に、再び開閉弁Ｖ３，Ｖ４を開いて、ポンプＰ′を駆動する。これにより、各ノズル３２，３３から装置本体３内に温水が噴射されて、装置本体３およびチェアー２のすすぎ洗いが行われる。すすぎ洗い終了後、ポンプＰ′を停止させ、開閉弁Ｖ３，Ｖ４を閉じる。その後、必要に応じて、乾燥ボタン８９を押すことにより、装置本体３およびチェアー２を乾燥させる。
すべての運転が終了すれば、操作パネル８の停止ボタン８２を押して、電源をＯＦＦにする。
【００６２】
なお、前記実施態様では、座席部３１の孔５０を汚水管５１に接続し、洗浄中に排泄された便が直接汚水管５１内に排出されるようにした例を示したが、本発明の適用はこれに限定されない。
【００６３】
図１０は、前記実施態様とは異なるトイレ機構を備えた洗浄装置の縦断面部分図である。同図において、前記実施態様と同一符号は同一または相当部分を示している。
【００６４】
図１０に示すように、座席部３１内には、孔５０に接続された排水管５２が配設されており、該排水管５２の下端は排水管４７に接続されている。座席部３１内において孔５０の下方には、排水管５２と連通する穴５８が形成されており、該穴内には、ポータブル便器７０が抜き差し可能に設けられている。
【００６５】
ポータブル便器７０は、図１１に示すように、上方に開口を有する箱状の容器であって、穴５８内に収納された状態で、開口部７１が排水口５０の下方に配置されるようになっている（図１０参照）。また、ポータブル便器７０の前面には把手７２が取り付けられ、後面上部には排水をオーバーフローさせるための複数の孔７３が形成されている。なお、座席部３１の前面において穴５８の開口部には、開閉可能な蓋５９が取り付けられている。
【００６６】
この場合には、被介護者が洗浄中に便意を催し、排便を行った場合には、便はポータブル便器７０により回収される。したがって、洗浄完了後は、介護者がこのポータブル便器７０を座席部３１から取り出して、該ポータブル便器内の便をトイレの便器に廃棄し、その後、ポータブル便器７０を再び座席部３１内にセットする。
【００６７】
なお、洗浄中においては、ポータブル便器７０内に排水も導入されることになるが、この導入された排水は、ポータブル便器７０のオーバフロー用の孔７３から排水管５２内に排出され、排水管４７を通って外部に排出される。
【００６８】
また、この変形例においては、ポータブル便器７０内に便（汚物）が入っている否かを検出するセンサを設けるとともに、該センサからの検出信号を受けて点灯する汚物表示灯を操作パネルに設けるようにすれば、被介護者が排便を行ったかどうかを容易に確認できる。
【００６９】
【発明の効果】
以上のように本発明に係るトイレ機構付洗浄装置によれば、周波数制御によりポンプの吐出圧が切換え可能になっているので、第１，第２の噴出部からの噴射圧を変えることができ、これにより、洗浄中に被介護者の血行を良好にするマッサージ効果を発揮でき、洗浄中に被介護者が排泄行為を容易に行えるようになる効果がある。
【図面の簡単な説明】
【図１】本発明の一実施態様による洗浄装置の使用開始前の状態を示す全体斜視図。
【図２】前記洗浄装置における装置本体の使用中の状態を示す全体斜視図。
【図３】前記装置本体の縦断面部分図。
【図４】前記洗浄装置における洗浄水および消毒水の供給ラインを示す概略系統図。
【図５】前記装置本体の操作パネルの拡大図。
【図６】前記洗浄装置の使用中の状態を示す図。
【図７】使用中における洗浄装置の内部の状態を示す図。
【図８】前記洗浄装置における洗浄運転（３分間）のサイクルの一例を示す図。
【図９】前記洗浄装置における消毒運転のサイクルの一例を示す図。
【図１０】本発明の他の実施態様によるトイレ機構付洗浄装置における装置本体の縦断面部分図。
【図１１】前記装置本体（図１０）のポータブル便器部分の拡大斜視図。
【符号の説明】
１            トイレ機構付洗浄装置
２            チェアー
２１          シート
２３          キャスタ
３            装置本体
３１          座席部
３２          ノズル（第２の噴出部）
３３          ノズル（第１の噴出部）
１０          タンク
４６          排水口
４７，５２    排水管
５０          孔
５１          汚水管
５４          洗浄管
５５          開閉バルブ
７０          ポータブル便器（小型便器）
７１          開口部
７３          オーバーフロー用の孔
Ｐ            被介護者
Ｐ′          ポンプ
Ｖ３          （第１の）開閉弁
Ｖ４          （第２の）開閉弁
【図１】
0003805023.tif 000002
【図２】
0003805023.tif 000003
【図３】
0003805023.tif 000004
【図４】
0003805023.tif 000005
【図５】
0003805023.tif 000006
【図６】
0003805023.tif 000007
【図７】
0003805023.tif 000008
【図８】
0003805023.tif 000009
【図９】
0003805023.tif 000010
【図１０】
0003805023.tif 000011
【図１１】
0003805023.tif 000012